(57)【要約】  【課題】筆記等の作業を行える小テーブル付きの椅子を、離着席が容易な形態にて提供する。  【手段】座３の側方でかつ着座者が肘を掛け得る高さ位置にサイドテーブル５を設置する。サイドテーブル５は前後長手で手前側に張り出すように配置されており、このため、着座者は座３の下方の空間に足を入り込ませて横向きの姿勢を楽にとることができる。背もたれ４の上面はサイドテーブル５と同じ高さの平坦面になっており、この平坦面に鞄等の物品を載せることができる。【選択図】      図２
2005103021.tif 000002
【特許請求の範囲】
【請求項１】
脚に固定された座と、前記座の後部に設けた背もたれとを備えており、着座者の左右側方又は両側方の位置でかつ着座者が肘を当てることのできる高さに、ノート型パソコンを使用したりメモを取ったりすることのできる程度の左右幅を有するサイドテーブルが配置されている、
椅子。
【請求項２】
前記サイドテーブルは前後方向に長い形状でその後端は背もたれの背面まで延びている一方、前記背もたれの上面はサイドテーブルの上面と同一又は略同じ高さに設定されており、更に、前記背もたれの上面を、物品を安定した状態に載せることができる硬さと前後幅とを有する平坦面に形成している、
請求項１に記載した椅子。
【請求項３】
前記サイドテーブルは前後方向に長く延びており、サイドテーブルを支持手段で前向きに張り出すようオーバーハング状に支持することにより、着座者がサイドテーブルの下方に足を入り込ませることを許容している、
請求項１又は請求項２に記載した椅子。
【請求項４】
前記サイドテーブルは、座と背と脚とより成る本体部に分離不能に取り付けられているか、或いは、前記本体部に着脱自在に取り付けられている、
請求項１〜請求項３のうちの何れかに記載した椅子。
【発明の詳細な説明】
【技術分野】
【０００１】
本発明は椅子に関するものである。なお、椅子にはソファーを含んでいる。
【背景技術】
【０００２】
椅子には様々の種類があるが、座と脚との関係では、座が脚支柱に回転自在に取付けられている回転椅子と、座が脚に固定されている非回転式椅子とに分類される。回転式椅子は机とセットで使用されることが多いが、非回転式椅子は、例えば待合室やミーティングルーム等のフロアーに独立して設置されることが多いと言える。
【０００３】
ところで、オフィスでは従来はスタッフ各人が専用の机をもっていたが、例えば外回りが殆どの営業マンのように自席の使用時間がきわめて少ない人については、自席をもたないノンテリトリアル又はフリーアドレスという方式が広がっている。
【０００４】
このようなノンテリトリアル方式やフリーアドレス方式によるオフィスの使用形態において、出社時のミーティング等に使用する席として椅子のみを使用すると、テーブルと椅子とをセットで使用する場合に比べて、スペースを有効利用することができる。
【０００５】
しかし、スタッフは出社して単に椅子に腰掛けている訳ではなく、殆どの場合、メモを取ったり、ノート型パソコンや形態端末を操作したりというように、何らかの作業を行うことが普通である。また、商談や打ち合わせでは飲み物を側に置くことがきると便利である。このため小テーブルがあると便利である。
【０００６】
他方、特許文献１（意匠公報第１０２８７９４号）には、水平旋回方式の小テーブルを備えたソファータイプの椅子が開示されており、この椅子を使用すると、筆記等の作業に便利であるといえる。
【発明の開示】
【発明が解決しようとする課題】
【０００７】
前記特許文献１では、小テーブルは座の手前側に配置されている。しかし、これでは離着席に際してテーブルが邪魔になり、離着席が面倒であるという問題がある。また、テーブルは水平旋回するように脚に取り付けねばならないため、椅子全体としての構造が複雑になる問題もある。
【０００８】
本願発明は、このような現状を改善することを課題とするものである。
【課題を解決するための手段】
【０００９】
請求項１の発明に係る椅子は、脚に固定された座と、前記座の後部に設けた背もたれとを備えており、着座者の左右側方又は両側方の位置でかつ着座者が肘を当てることのできる高さに、ノート型パソコンを使用したりメモを取ったりすることのできる程度の左右幅を有するサイドテーブルが配置されている。
【００１０】
請求項２の発明では、請求項１において、前記サイドテーブルは前後方向に長い形状でその後端は背もたれの背面まで延びている一方、前記背もたれの上面はサイドテーブルの上面と同一又は略同じ高さに設定されており、更に、前記背もたれの上面を、物品を安定した状態に載せることができる硬さと前後幅とを有する平坦面に形成している。
【００１１】
請求項３の発明では、請求項１又は２において、前記サイドテーブルは前後方向に長く延びており、サイドテーブルを支持手段で前向きに張り出すようオーバーハング状に支持することにより、着座者がサイドテーブルの下方に足を入り込ませることを許容している。
【００１２】
請求項４の発明では、請求項１〜請求項３のうちの何れかにおいて、前記サイドテーブルは、座と背と脚とより成る本体部に分離不能に取り付けられているか、或いは、前記本体部に着脱自在に取り付けられている。
【発明の効果】
【００１３】
本願発明によると、様々の作業を行ったり物を載せたりすることのできるサイドテーブルを備えているためスペースを有効利用でき、しかも、サイドテーブルは肘当てに兼用することができるため（或いは、肘当てを作業用等のサイドテーブルに兼用できるため）、肘掛け機能付きの椅子でありながら構造が簡単になる。
【００１４】
また、サイドテーブルは着座者の側方に配置されているため、人が離着席に際してサイドテーブルが邪魔になることは全くない。このため、使い勝手が格段に良い。
【００１５】
請求項２のように構成すると、背もたれの上面を物品の載置スペースとして利用できるため、スペースをよりいっそう有効利用することができる。また、背もたれの上面とサイドテーブルの上面とが連続して平面視でＬ字状の形態になるため、デザイン的にすっきりしたものとなる。
【００１６】
請求項３のように構成すると、着座者は足をサイドテーブルの下方に入り込ませて横向きの姿勢を楽に取れるため、特にパソコンや形態端末の操作を楽に行える利点がある。また、複数の椅子を左右に並べて設置して商談や打ち合わせ等を行うにおいて、相手と相対する姿勢を取れるので、不自然さがない点でも優れている。
【００１７】
サイドテーブルは本体部に分離不能に固定されてしても良いし、着脱式でも良い。着脱式の場合、サイドテーブルに独自の脚手段を設けて床上に自立できるようにすると、サイドテーブルの設置位置を座の左右いずれにも付け替えることが可能になため、利便性をより向上できる。
【発明を実施するための最良の形態】
【００１８】
次に、本願発明の実施形態を図面に基づいて説明する。
【００１９】
(1).第１実施形態（図１〜図３）
図１〜図３では第１実施形態を示している。図１は斜視図、図２（Ａ）は一部破断側面図、図２（Ｂ）は部分的な側断面図、図３は一部破断正面図である。
【００２０】
椅子は、キャスター１付きの脚２と、脚２に固定された平面視四角形状の座３と、座３の後部に配置した背もたれ４と、座３の側部上方に配置した前後長手のサイドテーブル５とを備えている。サイドテーブル５は着座者が肘を載せることのできる高さに配置されており、サイドテーブルの後端面と背もたれ４の後端面とは同一面を成すように揃えられている。
【００２１】
前後の脚２は上水平部２ａにて一体に連結されているが、互いに独立していてもよい。また、脚２は様々の態様を採用できることはいうまでもない。なお、キャスター１は必ずしも設ける必要はない。
【００２２】
座３は合成樹脂等によって中空状に形成されており、その表面にはクロスを張っている。なお、座３は合板製としても良いし、上面にクッション材を張ってもよい。本実施形態では、座３の前部は緩い角度で前傾した下向き部３ａとなっており、座３の後部には緩い角度で後傾する起立部３ｂを一体に設けている。
【００２３】
座３の起立部３ｂに、金属パイプ製の支持フレーム６を取り付け、この支持フレーム６に背もたれ４を取り付けている。支持フレーム６の左右両端は座３の起立部３ｂの前面から手前側に延びており、前後方向に延びる第１水平部６ａと、左右の第１水平部６ａの後端間を繋ぐ左右横長の第２水平部６ｂとを備えている。
【００２４】
背もたれ４は合成樹脂等によって中空状に形成されており、その前表面にクロスを張っている。背もたれ４は、後傾状の基部４ａとその上端から後方に延びる上板部４ｂとで側面く字状に形成されており、このため背もたれ４の上面は、ある程度の大きさの物品を載置できる平坦面になっている。
【００２５】
そして、背もたれ４における上板部４ｂの後端部下面を支持フレーム６の第２水平部６ｂに軸受け部材６ｃで取り付けている。このため、背もたれ４は支持フレーム６の第２水平部６ｂを中心にして跳ね上げ回動させることができる。なお、背もたれ４を跳ね上げ回動させるための取り付け構造としては、支持フレーム６の第２水平部６ｂに蝶番で取り付けるなど、様々の態様を採用できる。
【００２６】
背もたれ４を手前側に倒した状態では、背もたれ４はその上板部４ｂが支持フレーム６の第１水平部６ａで支持されることによって安定した姿勢に保持されている。他方、背もたれ４を跳ね上げる回動すると、上板部４ｂの後端が座３の起立部３ｂに上方から当接して跳ね上げ姿勢が保持される。なお、背もたれ４は合板製としても良いし、基部４ａの前面にクッションを張っても良い。
【００２７】
座３の後部及び起立部３ｂには、背もたれ４よりも左右幅が小さいを切欠き部８を後ろ向きに開口するように切り開き形成しており、左右の起立部３ｂの上端間に水平状のバー７を装架し、切欠き部８の手前側の内面とバー７とにネット９の前端と後端とを各々固定し、これにより、座３の後部に物品収納部１０を形成している。
【００２８】
従って、背もたれ４を跳ね上げ回動すると、物品収納部１０は大きく開口し、鞄や上着等の様々の物品１１を出し入れすることがてき。このため便利である。図２（Ｃ）に変形例として示するように、ネット９の後端は支持フレーム６の第２水平部６ｂに取付けてもよい。また、ネット９に代えて布を使用することも可能である。
【００２９】
サイドテーブル５は中空状で表面にはクロスを張った構造であり、その後部を支持フレーム６に固定すると共に、やや後ろ寄り部位は中空状の支柱１２で座３に支持されている。支柱１２には、電源用コンセント１３と通信用接続口１４とを有するコネクタを設けている。
【００３０】
サイドテーブル５は、上面にノート型パソコン１５を載置できる程度の左右幅であり、具体的には、２００〜３００ｍｍ程度が好ましいと言える。また、サイドテーブル５の上面と背もたれ４の上面とは同一面を成すように揃えられている。
【００３１】
以上の説明から既に理解できるように、サイドテーブル５を使用してパソコンの操作や筆記等の作業を行ったり、或いは、サイドテーブル５に書類や飲み物を置いたりというように、サイドテーブルを様々の用途に使用できる。勿論、サイドテーブル５を肘当てに兼用することもできる。そして、サイドテーブル５は着座者の左右外側に配置されているため、人の離着席の邪魔になることは全くなくて、使い勝手が頗るよい。
【００３２】
また、サイドテーブル５は手前側に向けてオーバーハングするように張り出しているため、着座者はサイドテーブル５の下方の空間に足を入り込ませることができる。このため、横向きの姿勢を楽に取ることができて、パソコン１５の操作や商談を無理のない姿勢で行うことができる。
【００３３】
更に、背もたれ４の上面は幅広の平坦面になっているため、鞄等の様々の物品を置くことができて、至極便利である。また、サイドテーブル５と背もたれ４との上面が同一面になっているため、両者に跨がった状態で物品を置くことができ、この面でも使い勝手が良い。
【００３４】
本実施形態のように背もたれ４で開閉される収納部１０を形成すると、物品を隠した状態に収納することができるためいっそう便利である。また、支柱１２にコンセント１３や通信用接続口１４等のコネクタを設けると、パソコン等の電気・電子製品の使用に頗る便利である。
【００３５】
なお、コンセント１３等のコネクタは必ずしも支柱１２に設ける必要はなく、サイドテーブル５の下面又は側面に設けたり、座３の下面又は側面に設けたり、図２（Ｂ）に一点鎖線で示すように座３における起立部３ｂの前面に設けるなどしても良い。いずれにしても、美観及びプラグ保護のため、コンセント１３等のコネクタはサイドテーブル５で隠した状態に配置するのが好ましい。また、サイドテーブル５を支持フレーム６及び支柱等の受け部材に対して回動式自在又は着脱自在に取付けると、プラグの抜き差しが容易になる利点がある。
【００３６】
更に、本実施形態のように座３の前端に下向き部３ａを形成すると、座３の起立部３ｂとのバランスが取れてデザイン的にすっきりし、また、ソファーのような重厚感が醸しだされる利点がある。
【００３７】
(2).第２実施形態（図４〜図６）
図４〜図６では第２実施形態を示している。図４は斜視図、図５は平面図、図６は変形例の部分斜視図である。
【００３８】
この実施形態は、サイドテーブル５が座３の外側にはみ出る状態で配置されている点で第１実施形態と相違している。この実施形態では、サイドテーブル５は支持手段の一例としてのブラケット１７を介して座３や脚２に固定されている。ブラケット１７を座３や脚２に対して着脱式とすることにより、結果としてサイドテーブル５を着脱式とすることも可能である。
【００３９】
ブラケット１５の形態は様々に設定することができる。図４及び図５のようにＬ形の形態としても良いし、図６に示すように板状に形成しても良い。図６の場合は、サイドテーブル５は平面でサイドテーブル５と部分的に重なることになる。
【００４０】
この実施形態のようにサイドテーブル５を座３の外側にはみ出る態様で配置すると、人が足をサイドテーブル５の下方に入り込ませるにおいて座３が邪魔にならないため、使い勝手の点で優れていると言える。足を着座者が横向き姿勢をより取りやすいように、座３のコーナー部を平面視局面状に形成しても良い。
【００４１】
図４に示すように、サイドテーブル５を座３の左側に配置した仕様の椅子と右側に配置した仕様の椅子とを左右に並設すると、２枚のサイドテーブル５が１枚板状に広がるため、商談や打ち合わせを行うにおいて特に使い勝手が良い。
【００４２】
(3).第３実施形態（図７〜図９）
図７〜図９では第３実施形態を示している。図７は正面図、図８は一部破断側面図、図９は図７のIX−IX視平断面図である。
【００４３】
この実施形態では、サイドテーブル５は、床上に自立できるように脚柱１８とベース１９とを有する脚装置２０を備えている。脚柱１８は前傾状の姿勢になっている。これは、着座者がサイドテーブル５の下方に足を入り込ませやすいようにするためである。
【００４４】
脚支柱１８の上下中途高さ位置には、ブラケット２１を介して縦長のピン状係止体２２を左右に振り分けた状態で配置されている一方、座３における脚２の上水平部２ａには、前記係止体２２が手前側からの移動によって嵌まる受け部材２３を設けている（受け部材２３は座３に設けても良い）。図９に一点鎖線で示すように、係止体２２をねじ止め式の押さえ板２４にて受け部材２３に固定することも可能である。
【００４５】
サイドテーブル５の後端部には、背もたれ４の上板部４ｂが載る横向き突起２５を設けている。横向き突起２５と背もたれ４の上板部４ｂとは上下方向から嵌まり合うように構成しても良い。なお、サイドテーブル５を椅子の本体部に係脱させる係止手段は、他の様々の組み合わせを採用することができる。例えば、本体部に上向き凹状の受け部を設ける一方、サイドテーブル５の脚装置には下向きの係止部を設けて、この係止部を受け部に上方から嵌め込むなどしても良い。
【００４６】
この実施形態では、サイドテーブル５は本体部に対して着脱自在であり、かつ、それ自身が床に自立するため、左右の付け替えが簡単である。また、独立して使用することも可能であるため、例えば、相対向して配置した２つの椅子の間に設置するという使用態様も採ることができる。
【００４７】
この実施形態では、背もたれ４は、後ろ向きのブラケット２６を介して座３の起立部３ｂに水平軸２７で取り付けられている。図示していないが、安定した姿勢を保持するためのストッパー手段を座３の起立部３ｂに設けている。
【００４８】
(4).第４実施形態（図10）
図１０に示す第４実施形態では、サイドテーブル５は本体部とは完全に独立した形態としている。この図１０に一点鎖線で示すように、椅子にはバックパネル２８を着脱自在に取り付けることも可能である。このバックパネル２８は、例えばフレームに半透明スクリーンを張るなど、様々の形態にすることができる。
【００４９】
(5).第４実施形態（図11）
図１１では、２人掛け用の椅子に適用している。（Ａ）は平面図、（Ｂ）は正面図、（Ｃ）は側面図である。２人掛けには限らず、３人以上が腰掛けできるタイプも可能である。複数人が掛ける椅子の場合、（Ａ）に  一点鎖線で示すように仕切り２９を設けることも可能である。
【００５０】
(6).第５実施形態（図12〜図14）
図１２に示すのも２人掛けの椅子であるが、この実施形態では、サイドテーブル５を挟んだ両側に人が着座するようになっている。また、背もたれ４の高さはサイドテーブル５よりも高くなっている。
【００５１】
本実施形態及び他の実施形態において、サイドテーブル５の平面形状は、図１４（Ａ）に示すように単純な長方形でも良いし、図１４（Ｂ）に示すように先端部を円弧状に形成してもよい。勿論、他の形状でも良い。
【図面の簡単な説明】
【００５２】
【図１】第１実施形態の斜視図、（Ａ）は背もたれを倒した状態の図、（Ｂ）は背もたれを起こした状態の図である。
【図２】（Ａ）は一部破断側面図、（Ｂ）は部分的な側断面図である。
【図３】一部破断正面図である。
【図４】第２実施形態の斜視図である。
【図５】平面図である。
【図６】変形例の部分斜視図である。
【図７】第３実施形態の正面図である。
【図８】一部破断側面図である。
【図９】図７のIX−IX視平断面図である。
【図１０】第４実施形態の斜視図である。
【図１１】第５実施形態を示す図である。
【図１２】第６実施形態の正面図である。
【図１３】第６実施形態の側面図である。
【図１４】サイドテーブルの平面図である。
【符号の説明】
【００５３】
２  脚
３  座
４  背もたれ
５  サイドテーブル
６  支持フレーム
１０  収納部
１２  支柱
【図１】
2005103021.tif 000003
【図２】
2005103021.tif 000004
【図３】
2005103021.tif 000005
【図４】
2005103021.tif 000006
【図５】
2005103021.tif 000007
【図６】
2005103021.tif 000008
【図７】
2005103021.tif 000009
【図８】
2005103021.tif 000010
【図９】
2005103021.tif 000011
【図１０】
2005103021.tif 000012
【図１１】
2005103021.tif 000013
【図１２】
2005103021.tif 000014
【図１３】
2005103021.tif 000015
【図１４】
2005103021.tif 000016